(57)【要約】【課題】印刷に用いる複数のインクのうちの特定のインクの吐出量を減少させたときに、印刷結果にドット抜けが表われることを抑制できる印刷システムを提供すること。【解決手段】印刷制御装置のプリンタードライバー実行部１２の補正割合入力部２５はブラックインクＢｋの吐出量を補正するための特定補正割合の入力を受け付ける。特定補正割合が入力されると、第１実吐出量設定部３５は、ブラックインクＢｋの規定吐出量を特定補正割合に基づいて減少させて印刷時にブラックインクＢｋを吐出させる実吐出量とする。また、有彩色の各インクＣ、Ｍ、Ｙの各規定吐出量をそれぞれ増加させて印刷時に当該有彩色の各インクＣ、Ｍ、Ｙのそれぞれを吐出させる各実吐出量とする。ブラックインクＢｋの吐出量の減少に起因して発生する印刷結果のドット抜けを有彩色の各インクＣ、Ｍ、Ｙの吐出量を増加させることにより減少できる。【選択図】図３
2014177059.tif 000002
【特許請求の範囲】
【請求項１】
複数のインクを記録媒体に吐出して印刷を行う印刷装置を制御する印刷制御装置であって、
前記複数のインクのうちの１の特定インクの吐出量を当該特定インクの規定吐出量から減少補正する特定補正割合、または、前記複数のインクのそれぞれの吐出量を各インクの規定吐出量値から一律に減少補正する全体補正割合の少なくとも一方に基づいて、前記特定インクの規定吐出量を減少補正して印刷時に当該特定インクを吐出させる実吐出量とするとともに、前記複数のインクのうち前記特定インクを除く他のインクの各規定吐出量をそれぞれ増加させて印刷時に当該他のインクのそれぞれを吐出させる各実吐出量とする実吐出量設定部を有することを特徴とする印刷制御装置。
【請求項２】
請求項１において、
前記特定補正割合、または、前記全体補正割合の少なくとも一方を受け付ける補正割合受付部を有し、
前記実吐出量設定部は、
前記特定補正割合のみを受け付けた場合に、前記特定補正割合に基づいて前記特定インクの規定吐出量を減少補正して印刷時に当該特定インクを吐出させる実吐出量とするとともに、前記複数のインクのうち前記特定インクを除く他のインクの各規定吐出量をそれぞれ増加させて印刷時に当該他のインクのそれぞれを吐出させる各実吐出量とする第１実吐出量設定部と、
前記全体補正割合を受け付けた場合に、前記全体補正割合および前記特定補正割合に基づいて前記特定インクの前記規定吐出量を減少補正して当該特定インクの前記実吐出量とするとともに、前記全体補正割合に基づいて前記他のインクの各規定吐出量を減少補正した各補正吐出量を算出し、各補正吐出量をそれぞれ増加させて前記他のインクの各実吐出量とする第２実吐出量設定部と、を備えることを特徴とする印刷制御装置。
【請求項３】
請求項１または２において、
前記第１実吐出量設定部は、前記特定インクの前記規定吐出量と当該特定インクの前記実吐出量との差分に基づいて、前記他のインクの各規定吐出量を増加させることを特徴とする印刷制御装置。
【請求項４】
請求項３において、
前記特定インクの前記規定吐出量と当該特定インクの前記実吐出量との差分は、前記他のインクのそれぞれにおける前記実吐出量と前記規定吐出量との各差分の合計に等しいことを特徴とする印刷制御装置。
【請求項５】
請求項２ないし４のうちのいずれかの項において、
前記第２実吐出量設定部は、前記特定インクの前記規定吐出量と、当該特定インクの前記規定吐出量を前記全体補正割合に基づいて減少補正した特定補正吐出量との差分に基づいて、前記他のインクの各補正吐出量を増加させることを特徴とする印刷制御装置。
【請求項６】
請求項５において、
前記特定インクの前記規定吐出量と前記特定補正吐出量との差分は、前記他のインクのそれぞれにおける前記実吐出量と前記補正吐出量との各差分の合計に等しいことを特徴とする印刷制御装置。
【請求項７】
請求項１ないし６のうちのいずれかの項において、
前記補正割合受付部は、前記全体補正割合および前記特定補正割合を受け付けるための補正割合入力画面をディスプレイに表示することを特徴とする印刷制御装置。
【請求項８】
請求項１ないし７のうちのいずれかの項において、
前記複数のインクは、シアンインク、マゼンダインク、イエローインクおよびブラックインクであり、
前記特定インクは、ブラックインクであることを特徴とする印刷制御装置。
【請求項９】
複数のインクを記録媒体に吐出して印刷を行う印刷装置の制御方法であって、
前記複数のインクのうちの１の特定インクの吐出量を当該特定インクの規定吐出量から減少補正する特定補正割合、または、前記複数のインクのそれぞれの吐出量を各インクの規定吐出量値から一律に減少補正する全体補正割合の少なくとも一方に基づいて、前記特定インクの規定吐出量を減少補正して印刷時に当該特定インクを吐出させる実吐出量とするとともに、前記複数のインクのうち前記特定インクを除く他のインクの各規定吐出量をそれぞれ増加させて印刷時に当該他のインクのそれぞれを吐出させる各実吐出量とすることを特徴とする印刷装置の制御方法。
【請求項１０】
請求項９において、
前記特定補正割合と、前記全体補正割合の少なくとも一方を受け付け、
前記特定補正割合のみを受け付けた場合には、前記特定補正割合に基づいて前記特定インクの規定吐出量を減少補正して印刷時に当該特定インクを吐出させる実吐出量とするとともに、前記複数のインクのうち前記特定インクを除く他のインクの各規定吐出量をそれぞれ増加させて印刷時に当該他のインクのそれぞれを吐出させる各実吐出量とし、
前記全体補正割合を受け付けた場合には、前記全体補正割合および前記特定補正割合に基づいて前記特定インクの前記規定吐出量を減少補正して当該特定インクの前記実吐出量とするとともに、前記全体補正割合に基づいて前記他のインクの各規定吐出量を減少補正した各補正吐出量を算出し、各補正吐出量をそれぞれ増加させて前記他のインクの各実吐出量とすることを特徴とする印刷装置の制御方法。
【請求項１１】
請求項１０において、
前記特定補正割合のみを受け付けた場合には、前記特定インクの前記規定吐出量と当該特定インクの前記実吐出量との差分に基づいて、前記他のインクの各規定吐出量を増加させることを特徴とする印刷装置の制御方法。
【請求項１２】
請求項１ないし８のうちのいずれかの項に記載の印刷制御装置と、
前記印刷制御装置に接続されており、複数のインクを吐出して記録媒体に記録を行う印刷装置と、
を有することを特徴とする印刷システム。
【発明の詳細な説明】
【技術分野】
【０００１】
本発明は、複数のインクを使用して印刷を行う際に、特定のインクの記録媒体への吐出量を減少させる設定が可能な印刷制御装置、印刷装置の制御方法および印刷システムに関する。
【背景技術】
【０００２】
インクジェットプリンターの中には、特許文献１に記載されているように、シアンインク、マゼンダインク、イエローインクなど有彩色のインクとブラックインクを印刷に用いるものがある。このようなインクジェットプリンターは、記録媒体に黒色の領域を形成する際に、インクジェットヘッドからブラックインクを吐出するだけではなく、有彩色のインクも吐出している。
【先行技術文献】
【特許文献】
【０００３】
【特許文献１】特開２００６−２７９９２２号公報
【発明の概要】
【発明が解決しようとする課題】
【０００４】
インクジェットプリンターを用いて印刷を行ったときに印刷画像に滲みが発生する場合には、ユーザーの設定により、全インクの記録媒体への吐出量をそれぞれ減少させて印刷濃度を低下させることがある。また、一般的に、ブラックインクの耐水性や耐擦性は色材の含有量等に起因して有彩色のインクよりも劣るので、印刷画像の耐水性や耐擦性を向上させたい場合には、ユーザーの設定により、ブラックインクの記録媒体への吐出量を減少させることがある。
【０００５】
ここで、ユーザーの設定によってブラックインクの吐出量が減少すると、記録媒体上でドットが形成されないドット抜けが発生することがある。例えば、記録媒体上に形成される黒色の罫線にドット抜けが発生する。また、記録媒体上に形成される図形の輪郭にドット抜けが発生して、図形の輪郭が欠損してしまうことがある。
【０００６】
本発明の課題は、かかる問題点に鑑みて、印刷に用いる複数のインクのうちの特定のインクの吐出量を減少させたときに、印刷結果にドット抜けが表われることを抑制できる印刷制御装置、印刷装置の制御方法および印刷システムを提供することにある。
【課題を解決するための手段】
【０００７】
上記の課題を解決するために、本発明は、複数のインクを記録媒体に吐出して印刷を行う印刷装置を制御する印刷制御装置であって、前記複数のインクのうちの１の特定インクの吐出量を当該特定インクの規定吐出量から減少補正する特定補正割合、または、前記複数のインクのそれぞれの吐出量を各インクの規定吐出量値から一律に減少補正する全体補正割合の少なくとも一方に基づいて、前記特定インクの規定吐出量を減少補正して印刷時に当該特定インクを吐出させる実吐出量とするとともに、前記複数のインクのうち前記特定インクを除く他のインクの各規定吐出量をそれぞれ増加させて印刷時に当該他のインクのそれぞれを吐出させる各実吐出量とする実吐出量設定部を有することを特徴とする。
【０００８】
本発明によれば、特定インクの吐出量を減少させた場合には、当該特定インクの減少分の一部または全部を他のインクの吐出量を増加させることによって補う。これにより、特定インクの吐出量の減少に起因して発生する印刷結果のドット抜けを他のインクの吐出によってカバーすることが可能となるので、印刷結果にドット抜けが表われることを抑制できる。
【０００９】
本発明において、特定補正割合、または、全体補正割合の少なくとも一方を受け付ける補正割合受付部を有し、実吐出量設定部は、前記特定補正割合のみを受け付けた場合に、前記特定補正割合に基づいて前記特定インクの規定吐出量を減少補正して印刷時に当該特定インクを吐出させる実吐出量とするとともに、前記複数のインクのうち前記特定インクを除く他のインクの各規定吐出量をそれぞれ増加させて印刷時に当該他のインクのそれぞれを吐出させる各実吐出量とする第１実吐出量設定部と、前記全体補正割合を受け付けた場合に、前記全体補正割合および前記特定補正割合に基づいて前記特定インクの前記規定吐出量を減少補正して当該特定インクの前記実吐出量とするとともに、前記全体補正割合に基づいて前記他のインクの各規定吐出量を減少補正した各補正吐出量を算出し、各補正吐出量をそれぞれ増加させて前記他のインクの各実吐出量とする第２実吐出量設定部と、を備えることが望ましい。
【００１０】
このようにすれば、特定インクの吐出量のみを減らす特定補正割合を受け付けた場合には、特定インクを除く他のインクの各実吐出量を各規定吐出量よりも増加させた値とする。また、全てのインクの吐出量を減らす全体補正割合を受け付けた場合には、他のインクの実吐出量を、全体補正割合に基づいて各規定吐出量を減少補正した各補正吐出量よりも増加させた値とする。すなわち、特定インクの吐出量を減少させた場合には、当該特定インクの減少分の一部または全部を他のインクの吐出量を増加させることによって補う。これにより、特定インクの吐出量の減少に起因して発生する印刷結果のドット抜けを他のインクの吐出によってカバーすることが可能となるので、印刷結果にドット抜けが表われることを抑制できる。
【００１１】
本発明において、特定インクの吐出量を減少補正する特定補正割合のみの入力を受け付けたときに他のインクの吐出量を増加させるためには、前記第１実吐出量設定部は、前記特定インクの前記規定吐出量と当該特定インクの前記実吐出量との差分に基づいて、前記他のインクの各規定吐出量を増加させることを特徴とすることが望ましい。
【００１２】
この場合において、前記特定インクの前記規定吐出量と当該特定インクの前記実吐出量との差分は、前記他のインクのそれぞれにおける前記実吐出量と前記規定吐出量との各差分の合計に等しいものとすることができる。このようにすれば、特定補正割合に基づいて減少する特定インクの吐出量の減少分を他のインクの吐出量の増加によって補完できる。また、特定インクの吐出量を減少させた場合でも、特定インクと他のインクを合わせた全体のインクの吐出量を、各インクを規定吐出量で吐出させる補正前の状態と同様の値に維持できる。
【００１３】
本発明において、全インクの吐出量をそれぞれ減少させる全体補正割合の入力を受け付けたときに、他のインクの各実吐出量を各補正吐出量よりも増加させるためには、前記第２実吐出量設定部は、前記特定インクの前記規定吐出量と当該特定インクの前記規定吐出量を前記全体補正割合に基づいて減少補正した特定補正吐出量との差分に基づいて、前記他のインクの各補正吐出量を増加させることが望ましい。
【００１４】
この場合において、前記特定インクの前記規定吐出量と前記特定補正吐出量との差分は、前記他のインクのそれぞれにおける前記実吐出量と前記補正吐出量との各差分の合計に等しいものとすることができる。このようにすれば、全体補正割合に基づいて減少する特定インクの吐出量の減少分を他のインクの吐出量の増加で補うことができる。
【００１５】
本発明において、前記補正割合受付部は、前記全体補正割合および前記特定補正割合を受け付けるための補正割合入力画面をディスプレイに表示することが望ましい。このようにすれば、特定補正割合および全体補正割合の入力を受け付けることが容易となる。
【００１６】
本発明において、前記複数のインクは、シアンインク、マゼンダインク、イエローインクおよびブラックインクであり、前記特定インクは、ブラックインクであることが望ましい。このようにすれば、ブラックインクの吐出量を減らして印刷を行う際に、記録媒体上に形成される黒色の罫線や図形にドット抜けが表われることを抑制できる。
【００１７】
次に、本発明は、複数のインクを記録媒体に吐出して印刷を行う印刷装置の制御方法であって、前記複数のインクのうちの１の特定インクの吐出量を当該特定インクの規定吐出量から減少補正する特定補正割合、または、前記複数のインクのそれぞれの吐出量を各インクの規定吐出量値から一律に減少補正する全体補正割合の少なくとも一方に基づいて、前記特定インクの規定吐出量を減少補正して印刷時に当該特定インクを吐出させる実吐出量とするとともに、前記複数のインクのうち前記特定インクを除く他のインクの各規定吐出量をそれぞれ増加させて印刷時に当該他のインクのそれぞれを吐出させる各実吐出量とすることを特徴とする。
【００１８】
本発明によれば、特定インクの吐出量を減少させた場合には、当該特定インクの減少分の一部または全部を他のインクの吐出量を増加させることによって補う。これにより、特定インクの吐出量の減少に起因して発生する印刷結果のドット抜けを他のインクの吐出によってカバーすることが可能となるので、印刷結果にドット抜けが表われることを抑制できる。
【００１９】
本発明において、特定補正割合、または、全体補正割合の少なくとも一方を受け付け、前記特定補正割合のみを受け付けた場合には、前記特定補正割合に基づいて前記特定インクの規定吐出量を減少補正して印刷時に当該特定インクを吐出させる実吐出量とするとともに、前記複数のインクのうち前記特定インクを除く他のインクの各規定吐出量をそれぞれ増加させて印刷時に当該他のインクのそれぞれを吐出させる各実吐出量とし、前記全体補正割合を受け付けた場合には、前記全体補正割合および前記特定補正割合に基づいて前記特定インクの前記規定吐出量を減少補正して当該特定インクの前記実吐出量とするとともに、前記全体補正割合に基づいて前記他のインクの各規定吐出量を減少補正した各補正吐出量を算出し、各補正吐出量をそれぞれ増加させて前記他のインクの各実吐出量とすることを特徴とする。
【００２０】
このようにすれば、特定インクの吐出量のみを減らす特定補正割合を受け付けた場合には、特定インクを除く他のインクの各実吐出量を各規定吐出量よりも増加させた値とする。また、全てのインクの吐出量を減らす全体補正割合を受け付けた場合には、他のインクの実吐出量を、全体補正割合に基づいて各規定吐出量を減少補正した各補正吐出量よりも増加させた値とする。すなわち、特定インクの吐出量を減少させた場合には、当該特定インクの減少分の一部または全部を他のインクの吐出量を増加させることによって補う。これにより、特定インクの吐出量の減少に起因して発生する印刷結果のドット抜けを他のインクの吐出によってカバーすることが可能となるので、印刷結果にドット抜けが表われることを抑制できる。
【００２１】
本発明において、特定インクの吐出量を減少補正する特定補正割合のみの入力を受け付けたときに他のインクの吐出量を増加させるためには、前記特定補正割合のみを受け付けた場合には、前記特定インクの前記規定吐出量と当該特定インクの前記実吐出量との差分に基づいて、前記他のインクの各規定吐出量を増加させることが望ましい。
【００２２】
次に、本発明の印刷システムは、上記の印刷制御装置と、前記印刷制御装置に接続されており、複数のインクを吐出して記録媒体に記録を行う印刷装置と、を有することを特徴とする。
【００２３】
本発明によれば、印刷に用いる複数のインクのうちの特定のインクの吐出量を減少させたときに、印刷結果にドット抜けが表われることを抑制或いは防止できる。
【発明の効果】
【００２４】
本発明によれば、特定インクの吐出量の減少に起因して発生する印刷結果のドット抜けを、他のインクの吐出量の増加によってカバーすることが可能となるので、印刷結果にドット抜けが表われることを抑制できる。
【図面の簡単な説明】
【００２５】
【図１】本発明を適用した印刷システムの概略ブロック図である。
【図２】プリンタードライバーが表示するダイアログボックスの説明図である。
【図３】実吐出量設定部が実吐出量を設定する吐出量設定動作の説明図である。
【図４】印刷システムにおける印刷処理動作のフローチャートである。
【発明を実施するための形態】
【００２６】
以下に、図面を参照して、本発明を適用した印刷システムを説明する。
【００２７】
（印刷システム）
図１は本発明を適用した印刷システムの概略ブロック図である。本例の印刷システム１はホストコンピューター（印刷制御装置）２とこのホストコンピューター２に接続されたインクジェットプリンター（印刷装置）３を備えている。ホストコンピューター２には、ディスプレイ４と、キーボードやマウスなどの入力装置５が接続されている。
【００２８】
ホストコンピューター２は、ＯＳ部１０、アプリケーションプログラム実行部１１およびプリンタードライバー実行部１２を備えている。アプリケーションプログラム実行部１１では、画像データを作成するためのソフトウエアが動作している。プリンタードライバー実行部１２はＯＳ部１０を介してアプリケーションプログラム実行部１１から出力される画像データを受け取る。プリンタードライバー実行部１２は画像データを印刷コマンド（印刷データ）に変換し、この印刷コマンドをインクジェットプリンター３に出力することによりインクジェットプリンター３を駆動制御して２次元コードや画像を印刷する。
【００２９】
インクジェットプリンター３はシアンインクＣ、マゼンダインクＭ、イエローインクＹおよびブラックインクＢｋの４色のインクを用いてカラー印刷を行う。また、本例のインクジェットプリンター３では、記録用紙に黒色の線や領域を形成する際に、インクジェットヘッドからブラックインクＢｋを吐出させるだけではなく、有彩色の各インクＣ、Ｍ、Ｙ（シアンインクＣ、マゼンダインクＭおよびイエローインクＹ）も吐出させる。
【００３０】
各インクＣ、Ｍ、Ｙ、Ｂｋ（シアンインクＣ、マゼンダインクＭ、イエローインクＹおよびブラックインクＢｋ）は、色材、溶剤、樹脂等を含有しており、それぞれの成分、成分比率、含有量の相違に起因して耐水性や耐擦性（インク滴の印刷媒体への定着性）が個々に相違している。本例では、ブラックインクＢｋの耐水性および耐擦性が有彩色の各インクＣ、Ｍ、Ｙと比較して劣るものとなっている。なお、ブラックインクＢｋの耐水性および耐擦性が劣るのは、可視光を吸収するために色材の含有量が有彩色の各インクＣ、Ｍ、Ｙと比較して多く、インクジェットヘッド（不図示）から吐出されたインク滴が記録用紙（記録媒体）に着弾したときに、記録用紙の表層部に留まっている顔料が盛り上がった状態となることなどの理由による。
【００３１】
（プリンタードライバー実行部）
図１に示すように、プリンタードライバー実行部１２はドライバー上位層２１と画像処理モジュール２２を備えている。ドライバー上位層２１はアプリケーションプログラム実行部１１から供給された画像データをレンダリング処理し、画像データの各画素をＲＧＢ多値データに変換する。画像処理モジュール２２はドライバー上位層２１から供給されるＲＧＢ多値データを各インクＣ、Ｍ、Ｙ、Ｂｋのインク量データに変換し、更に、このインク量データを印刷コマンドに変換してインクジェットプリンター３に出力する。画像処理モジュール２２は、色変換モジュール２３、色処理ＬＵＴ（ルックアップテーブル）２４、補正割合入力部２５、実吐出量設定部２６、コマンド変換モジュール２７、印刷コマンド出力部２８を備えている。
【００３２】
色変換モジュール２３は、色処理ＬＵＴ２４を参照して各画素のＲＧＢ多値データを各インクＣ、Ｍ、Ｙ、Ｂｋのインク量データに変換する。色変換モジュール２３から出力される各インクＣ、Ｍ、Ｙ、Ｂｋのインク量データは、画像データの各画素を記録用紙上に印刷する際の各インクＣ、Ｍ、Ｙ、Ｂｋの規定吐出量（打ち込み量）である。なお、本例では、画像処理モジュール２２は複数の色処理ＬＵＴ２４を備えており、ユーザーによって予め設定された印刷モードに対応する１の色処理ＬＵＴ２４が選択されて用いられている。ここで、吐出量は、インクジェットヘッドから吐出されるインクの量を主体とし、打ち込み量は、記録用紙に吐出されたインクの量を主体とする表現である。
【００３３】
補正割合入力部２５は、ディスプレイ４にダイアログボックスを表示して、ブラックインクＢｋ（特定インク）の吐出量を補正する特定補正割合の入力を受け付けるとともに、各インクＣ、Ｍ、Ｙ、Ｂｋの吐出量を一律に補正する全体補正割合の入力を受け付ける。
【００３４】
図２は補正割合入力部２５がディスプレイ４に表示するダイアログボックスの説明図である。ダイアログボックス３０は中央部分に特定補正割合の入力を受け付けるための第１スライダー３１を備えている。また、ダイアログボックス３０は、第１スライダー３１の上方に全体補正割合の入力を受け付けるための第２スライダー３２を備えている。
【００３５】
第１スライダー３１は通常は目盛り０に設定されている。第１スライダー３１の目盛り−１から−６にはブラックインクＢｋの規定吐出量を減少補正するための特定補正割合がそれぞれ対応付けられている。本例では、−１から−６のそれぞれに、９５％、９０％、８５％、８０％、７５％、７０％の特定補正割合がこの順番で対応付けられている。なお、第１スライダー３１が操作されておらず、その目盛りが０に設定されている場合には、特定補正割合は１００％となる。
【００３６】
第１スライダー３１が操作されて−１から−６の任意の目盛りに設定されると、実吐出量設定部２６によってブラックインクＢｋの吐出量がその規定吐出量から減少させられる。ここで、ブラックインクＢｋは他のインクと比較して耐水性および耐擦性が劣るので、ブラックインクＢｋの吐出量が減少させられると印刷画像の耐水性や耐擦性が相対的に向上する。従って、第１スライダー３１は、印刷画像の耐水性や耐擦性を向上させたい場合に操作される。
【００３７】
第２スライダー３２も通常は目盛り０に設定されている。第２スライダー３２の目盛り−１から−６には各インクＣ、Ｍ、Ｙ、Ｂｋの規定吐出量を減少補正するための全体補正割合がそれぞれ対応付けられている。本例では、−１から−６のそれぞれに、９５％、９０％、８５％、８０％、７５％、７０％の全体補正割合がこの順番で対応付けられている。なお、第２スライダー３２が操作されておらず、その目盛りが０に設定されている場合には、全体補正割合は１００％となる。
【００３８】
第２スライダー３２が操作されて−１から−６の任意の目盛りに設定されると、実吐出量設定部２６によって各インクＣ、Ｍ、Ｙ、Ｂｋの記録用紙への吐出量が各規定吐出量から減少させられる。これにより、全体のインクの吐出量が減って印刷濃度が低下するので、第２スライダー３２は、印刷画像における滲みの発生を抑制する場合に操作される。
【００３９】
ここで、印刷画像における滲みの発生を抑制し、かつ、印刷画像の耐水性や耐擦性の向上を図る場合には、第１スライダー３１と第２スライダー３２の双方が操作される。
【００４０】
実吐出量設定部２６は、第１スライダー３１の設定値に対応する特定補正割合および第２スライダー３２の設定値に対応する全体補正割合に基づいて各インクＣ、Ｍ、Ｙ、Ｂｋの規定吐出量を補正して、印刷時に各インクＣ、Ｍ、Ｙ、Ｂｋのそれぞれを吐出させる各実吐出量とする。また、実吐出量設定部２６は、第１スライダー３１および第２スライダー３２が操作されていない場合には、各インクＣ、Ｍ、Ｙ、Ｂｋの各規定吐出量をそのまま各実吐出量に設定する。実吐出量設定部２６は、第１スライダー３１のみが操作された場合に各インクＣ、Ｍ、Ｙ、Ｂｋの各実吐出量を設定する第１実吐出量設定部３５と、第２スライダー３２が操作された場合に各インクＣ、Ｍ、Ｙ、Ｂｋの各実吐出量を設定する第２実吐出量設定部３６を備えている。第２スライダー３２が操作された場合には、第２スライダー３２のみが操作された場合、および、第１スライダー３１と第２スライダー３２の双方が操作された場合とが含まれる。
【００４１】
第１実吐出量設定部３５は、第１スライダー３１のみが操作された場合に、ブラックインクＢｋの規定吐出量を第１スライダー３１の設定値に対応する特定補正割合で減少させて、ブラックインクＢｋの実吐出量とする。ブラックインクＢｋの規定吐出量をＢｋｒｑ、特定補正割合をＢｋｆｒ（％）、ブラックインクＢｋの実吐出量をＢｋｖｑとすると、この場合のブラックインクＢｋの実吐出量Ｂｋｖｑは以下の式（１）で示される。
Ｂｋｖｑ＝Ｂｋｒｑ×Ｂｋｆｒ・・（１）
【００４２】
また、第１実吐出量設定部３５は、第１スライダー３１のみが操作された場合に、有彩色の各インクＣ、Ｍ、Ｙの各規定吐出量を、ブラックインクＢｋの規定吐出量とブラックインクＢｋの実吐出量の差分に基づいて増加させて、有彩色の各インクＣ、Ｍ、Ｙの各実吐出量とする。ブラックインクＢｋの規定吐出量とブラックインクＢｋの実吐出量の差分とは、特定補正割合に基づいて規定吐出量を減少させたブラックインクＢｋの吐出量の減少分である。
【００４３】
本例では、ブラックインクＢｋの規定吐出量とブラックインクＢｋの実吐出量の差分を有彩色のインク数である３で均等に割り、この算出値を有彩色の各インクＣ、Ｍ、Ｙの各規定吐出量に加えて各実吐出量とする。従って、有彩色の各インクＣ、Ｍ、Ｙの各規定吐出量を同量ずつ増加させた値が有彩色の各インクＣ、Ｍ、Ｙの各実吐出量となる。また、ブラックインクＢｋの規定吐出量とブラックインクＢｋの実吐出量の差分と、有彩色の各インクＣ、Ｍ、Ｙのそれぞれにおける実吐出量と規定吐出量の各差分の合計が等しいものとなる。この結果、第１スライダー３１のみが操作された場合における補正後の全体のインクの吐出量は、各インクＣ、Ｍ、Ｙ、Ｂｋを規定吐出量で吐出させた場合の全体のインクの吐出量と変わらず、同一に、維持される。有彩色の各インクＣ、Ｍ、Ｙの各規定吐出量をＣＭＹｒｑ、ブラックインクＢｋの規定吐出量をＢｋｒｑ、ブラックインクＢｋの実吐出量をＢｋｖｑ、有彩色の各インクＣ、Ｍ、Ｙの各実吐出量をＣＭＹｖｑとすると、有彩色の各インクＣ、Ｍ、Ｙの各実吐出量ＣＭＹｖｑは以下の式（２）で示される。なお、Ｂｋｖｑ（ブラックインクＢｋの実吐出量）は上記式（１）により求められる。
ＣＭＹｖｑ＝ＣＭＹｒｑ＋（Ｂｋｒｑ−Ｂｋｖｑ）／３・・（２）
【００４４】
第２実吐出量設定部３６は、第２スライダー３２が操作された場合（第２スライダー３２のみが操作された場合、および、第１スライダー３１と第２スライダー３２の双方が操作された場合）に、ブラックインクＢｋの規定吐出量を、第１スライダー３１の設定値に対応する特定補正割合および第２スライダー３２の設定値に対応する全体補正割合で減少させてブラックインクＢｋの実吐出量とする。ブラックインクＢｋの規定吐出量をＢｋｒｑ、全体補正割合をＡｌｌｆｒ（％）、特定補正割合をＢｋｆｒ（％）、ブラックインクＢｋの実吐出量をＢｋｖｑとすると、この場合のブラックインクＢｋの実吐出量Ｂｋｖｑは以下の式（３）で示される。
Ｂｋｖｑ＝Ｂｋｒｑ×Ａｌｌｆｒ×Ｂｋｆｒ・・（３）
【００４５】
また、第２実吐出量設定部３６は、第２スライダー３２が操作された場合（第２スライダー３２のみが操作された場合、および、第１スライダー３１と第２スライダー３２の双方が操作された場合）に、有彩色の各インクＣ、Ｍ、Ｙの各規定吐出量を全体補正割合に基づいて減少させた各補正吐出量を算出するとともに、算出された各補正吐出量を、ブラックインクＢｋの規定吐出量とブラックインクＢｋの規定吐出量を全体補正割合に基づいて減少させた特定補正吐出量の差分に基づいて増加させて有彩色の各インクＣ、Ｍ、Ｙの各実吐出量とする。ブラックインクＢｋの規定吐出量とブラックインクＢｋの特定補正吐出量の差分とは、全体補正割合に基づいて規定吐出量を減少させたブラックインクＢｋの吐出量の減少分である。
【００４６】
本例では、ブラックインクＢｋの規定吐出量とブラックインクＢｋの特定補正吐出量の差分を有彩色のインク数である３で均等に割り、この算出値を有彩色の各インクＣ、Ｍ、Ｙの各補正吐出量に加えて各実吐出量とする。従って、有彩色の各インクＣ、Ｍ、Ｙの各補正吐出量を同量ずつ増加させた値が各実吐出量となる。有彩色の各インクＣ、Ｍ、Ｙの各規定吐出量をＣＭＹｒｑ、ブラックインクＢｋの規定吐出量をＢｋｒｑ、全体補正割合をＡｌｌｆｒ（％）、特定補正割合をＢｋｆｒ（％）、ブラックインクＢｋの特定補正吐出量をＢｋａｑ、有彩色の各インクＣ、Ｍ、Ｙの各補正吐出量をＣＭＹａｑ、有彩色の各インクＣ、Ｍ、Ｙの各実吐出量をＣＭＹｖｑとすると、ブラックインクＢｋの特定補正吐出量Ｂｋａｑは以下の式（４）で示され、有彩色の各インクＣ、Ｍ、Ｙの各補正吐出量ＣＭＹａｑは以下の式（５）で示される。従って、有彩色の各インクＣ、Ｍ、Ｙの各実吐出量ＣＭＹｖｑは以下の式（６）で示される。
Ｂｋａｑ＝Ｂｋｒｑ×Ａｌｌｆｒ・・（４）
ＣＭＹａｑ＝ＣＭＹｒｑ×Ａｌｌｆｒ・・（５）
ＣＭＹｖｑ＝ＣＭＹａｑ＋（Ｂｋｒｑ−Ｂｋａｑ）／３・・（６）
【００４７】
ここで、図３を参照しながら実吐出量設定部２６による吐出量設定動作をより具体的に説明する。図３は実吐出量設定部２６が各インクＣ、Ｍ、Ｙ、Ｂｋの実吐出量を設定する吐出量設定動作の説明図である。本例では、色変換モジュール２３が画像データの特定の画素のＲＧＢ多値データをインク量データに変換したときに、各インクＣ、Ｍ、Ｙ、Ｂｋの規定吐出量がそれぞれは２５であり、全体のインクの吐出量が１００となっているものとする。
【００４８】
図３（ａ）に示す例は、第１スライダー３１および第２スライダー３２が操作されていない場合である。この場合には、各インクＣ、Ｍ、Ｙ、Ｂｋの各実吐出量として、各インクＣ、Ｍ、Ｙ、Ｂｋの各規定吐出量がそのまま設定される。
【００４９】
図３（ｂ）に示す例は、ブラックインクＢｋの吐出量を減少補正する第１スライダー３１のみが操作され、その目盛りが−１に設定された場合である。この場合、第１スライダー３１の設定値に対応する特定補正割合は９５％である。従って、第１実吐出量設定部３５は、上記式（１）に、ブラックインクＢｋの規定吐出量（Ｂｋｒｑ＝２５）および特定補正割合（Ｂｋｆｒ＝９５％）を代入し、この演算結果をブラックインクＢｋの実吐出量（Ｂｋｖｑ＝２３．８）とする。また、第１実吐出量設定部３５は、上記の式（２）に有彩色の各インクＣ、Ｍ、Ｙの各規定吐出量（ＣＭＹｒｑ＝２５）、ブラックインクＢｋの規定吐出量（Ｂｋｒｑ＝２５）およびブラックインクＢｋの実吐出量（Ｂｋｖｑ＝２３．８）を代入し、この演算結果を有彩色の各インクＣ、Ｍ、Ｙの各実吐出量（ＣＭＹｖｑ＝２５．４）とする。
【００５０】
図３（ｃ）に示す例は、各インクＣ、Ｍ、Ｙ、Ｂｋの吐出量を減少補正する第２スライダー３２とブラックインクＢｋの吐出量を減少補正する第１スライダー３１の双方が操作され、それらの目盛りがそれぞれ−１に設定された場合である。この場合、第１スライダー３１の設定値に対応する特定補正割合は９５％であり、第２スライダー３２の設定値に対応する全体補正割合は９５％である。
【００５１】
従って、第２実吐出量設定部３６は、上記式（３）に、ブラックインクＢｋの規定吐出量（Ｂｋｒｑ＝２５）、全体補正割合（Ａｌｌｆｒ＝９５％）および特定補正割合（Ｂｋｆｒ＝９５％）を代入し、この演算結果をブラックインクＢｋの実吐出量（Ｂｋｖｑ＝２２．６）とする。また、第２実吐出量設定部３６は、上記の式（４）にブラックインクＢｋの規定吐出量（Ｂｋｒｑ＝２５）および全体補正割合（Ａｌｌｆｒ＝９５％）を代入し、この演算結果をブラックインクＢｋの特定補正吐出量（Ｂｋａｑ＝２３．７５）とする。また、上記の式（５）に有彩色の各インクＣ、Ｍ、Ｙの各規定吐出量（ＣＭＹｒｑ＝２５）および全体補正割合（Ａｌｌｆｒ＝９５％）を代入し、この演算結果を有彩色の各インクＣ、Ｍ、Ｙの各補正吐出量（ＣＭＹａｑ＝２３．８）とする。さらに、上記の式（５）に、上記の式（５）により算出された有彩色の各インクＣ、Ｍ、Ｙの各補正吐出量（ＣＭＹａｑ＝２３．８）、ブラックインクＢｋの規定吐出量（Ｂｋｒｑ＝２５）、および、ブラックインクＢｋの特定補正吐出量（Ｂｋａｑ＝２３．８）を代入し、この演算結果を有彩色の各インクＣ、Ｍ、Ｙの各実吐出量（ＣＭＹｖｑ＝２４．２）とする。第１スライダー３１および第２スライダー３２が操作された場合には、補正後の全体のインクの吐出量は、補正前の全体のインクの吐出量よりも減少する。
【００５２】
なお、各インクＣ、Ｍ、Ｙ、Ｂｋの吐出量を減少補正する第２スライダー３２のみが操作された場合には、特定補正割合が１００％とされ、図３（ｃ）に示す場合と同様に、各インクＣ、Ｍ、Ｙ、Ｂｋの実吐出量が設定される。第２スライダー３２のみが操作された場合にも、補正後の全体のインクの吐出量は、補正前の全体のインクの吐出量よりも減少した値となる。
【００５３】
なお、本例では、ブラックインクＢｋの規定吐出量とブラックインクＢｋの特定補正吐出量の差分を有彩色のインク数である３で均等割した算出値を同量ずつ有彩色の各インクＣ、Ｍ、Ｙの各補正吐出量に加えて各実吐出量とした。しかしながら、特定補正吐出量の差分を有彩色のインク数の３（Ｃ、Ｍ、Ｙ）での均等割りでなく、その補正前のＣＭＹ比率に応じて分配した算出値を有彩色の各インクＣ、Ｍ、Ｙの各補正吐出量に加えて各実吐出量としてもよい。      
【００５４】
次に、コマンド変換モジュール２７は、各画素を印刷するための各インクＣ、Ｍ、Ｙ、Ｂｋのインク量データ（実吐出量）を印刷コマンドに変換する。本例では、各インクＣ、Ｍ、Ｙ、Ｂｋを記録用紙に打ち込む際に、インクジェットヘッドから記録用紙に向かって吐出させるインク滴として大きさの異なる３種類（大、中、小）のインク滴を用いており、印刷コマンドによって各種類（大、中、小）のインク滴の吐出割合を制御することにより各インクＣ、Ｍ、Ｙ、Ｂｋの記録用紙への吐出量を調整する。本例では、吐出量は、容量(nｌ）または重量（nｇ）等で表され、さらに３種類（大、中、小）のインク滴の吐出割合でも表される。
【００５５】
印刷コマンド出力部２８は、コマンド変換モジュール２７により生成された印刷コマンドをインクジェットプリンター３に出力する。インクジェットプリンター３は印刷コマンドによって駆動制御されて、画像を記録用紙に印刷する。
【００５６】
（画像データ印刷処理）
図４は画像データの印刷処理動作のフローチャートである。プリンタードライバー実行部１２がアプリケーションプログラム実行部１１から画像データの供給を受けると、ドライバー上位層２１は画像データをレンダリング処理して各画素をＲＧＢ多値データに変換する（ステップＳＴ１）。ドライバー上位層２１からＲＧＢ多値データが出力されると、色処理モジュールは色処理ＬＵＴ２４によりＲＧＢ多値データを各インクＣ、Ｍ、Ｙ、Ｂｋのインク量データ（規定吐出量）に変換する色変換処理を行う（ステップＳＴ２）。
【００５７】
ここで、実吐出量設定部２６は第１スライダー３１の設定値および第２スライダー３２の設定値を確認し、各設定値に対応する特定補正割合および全体補正割合に基づいて各インクＣ、Ｍ、Ｙ、Ｂｋの各規定吐出量を補正して、印刷時に各インクＣ、Ｍ、Ｙ、Ｂｋを吐出させる各実吐出量とする（ステップＳＴ３、４）。
【００５８】
実吐出量設定部２６により各インクＣ、Ｍ、Ｙ、Ｂｋのインク量データ（実吐出量）が設定されると、コマンド変換モジュール２７はこのインク量データに基づいて印刷コマンドを生成する（ステップＳＴ５）、印刷コマンド出力部２８は、生成された印刷コマンドをインクジェットプリンター３に出力する（ステップＳＴ６）。インクジェットプリンター３は印刷コマンドによって駆動制御されて、画像を印刷する。
【００５９】
（作用効果）
本例では、第１スライダー３１を操作することにより、ブラックインクＢｋの吐出量を減少させて、印刷画像の耐水性や耐擦性を向上させることができる。従って、例えば、画像データが２次元コードを印刷するものであり、画像データに基づいて発行された印刷物が水滴のかかる可能性のある用途で使用される場合には、第１スライダー３１を操作してブラックインクＢｋの吐出量を減少させて２次元コードの耐水性を向上させることができる。また、この画像データに基づいて発行された印刷物が擦れの発生しやすい用途で使用される場合にも、第１スライダー３１を操作してブラックインクＢｋの吐出量を減少させて２次元コードの耐擦性を向上させることができる。
【００６０】
また、本例では、第２スライダー３２を操作することにより各インクＣ、Ｍ、Ｙ、Ｂｋの吐出量を減少させ、印刷画像における滲みの発生を抑制することができる。例えば、画像データが２次元コードを印刷するものである場合には、印刷結果に滲みが発生していると２次元コードをコードリーダーで読み取る読取精度が低下する。従って、滲みやすい記録用紙に当該画像データを印刷する場合には、第２スライダー３２を操作して各インクＣ、Ｍ、Ｙ、Ｂｋの吐出量を減少させて滲みの発生を抑制する。なお、第２スライダー３２を操作することにより各インクＣ、Ｍ、Ｙ、Ｂｋの記録用紙への吐出量が減少するので、第２スライダー３２を操作することによって各インクＣ、Ｍ、Ｙ、Ｂｋの消費量を抑制することもできる。
【００６１】
ここで、第１スライダー３１または第２スライダー３２が操作されることによってブラックインクＢｋの吐出量が減少すると、記録用紙上に形成される黒色の罫線にドット抜けが発生することがある。また、記録用紙上に形成される図形の輪郭にドット抜けが発生し、図形の輪郭を識別し難くなることがある。従って、例えば、画像データが２次元コードを印刷するものである場合には、印刷画像において２次元コードを形成している黒色の罫線が欠け、黒色領域の輪郭が曖昧になり、２次元コードの読取精度が低下するという問題が発生する。
【００６２】
かかる問題に対して、本例では、ブラックインクＢｋの吐出量のみを減らす特定補正割合を受け付けた場合には、有彩色の各インクＣ、Ｍ、Ｙの実吐出量を、当該有彩色の各インクＣ、Ｍ、Ｙの各規定吐出量よりも増加させた値とする。また、全てのインクの吐出量を減らす全体補正割合を受け付けた場合には、有彩色の各インクＣ、Ｍ、Ｙの実吐出量を、全体補正割合に基づいて有彩色の各インクＣ、Ｍ、Ｙの各規定吐出量を減少補正した各補正吐出量よりも増加させた値とする。すなわち、本例では、ブラックインクＢｋの吐出量を減少させた場合には、当該ブラックインクＢｋの減少分の一部または全部を、有彩色の各インクＣ、Ｍ、Ｙの吐出量を増加させることによって補っている。これにより、ブラックインクＢｋの吐出量の減少に起因して発生する印刷結果のドット抜けを、記録用紙への有彩色の各インクＣ、Ｍ、Ｙの吐出量の増加によってカバーすることが可能となるので、印刷結果にドット抜けが表われることを抑制できる。従って、画像データが記録用紙に２次元コードを印刷するものである場合には、ブラックインクＢｋの吐出量の減少に起因して印刷された２次元コードの読取精度が低下することを抑制あるいは防止できる。
【００６３】
なお、上記の例では、第１スライダー３１を操作することによりブラックインクＢｋの吐出量を補正しているが、第１スライダー３１を操作することによって有彩色の各インクＣ、Ｍ、Ｙのうちの１のインクの吐出量を減少補正する特定補正割合を入力するように構成することもできる。
【符号の説明】
【００６４】
１・・印刷システム、２・・ホストコンピューター（印刷制御装置）、３・・インクジェットプリンター（印刷装置）、４・・ディスプレイ、５・・入力装置、１０・・ＯＳ部、１１・・アプリケーションプログラム実行部、１２・・プリンタードライバー実行部、２１・・ドライバー上位層、２２・・画像処理モジュール、２３・・色変換モジュール、２４・・色処理ＬＵＴ、２５・・補正割合入力部、２６・・実吐出量設定部、２７・・コマンド変換モジュール、２８・・印刷コマンド出力部、３０・・ダイアログボックス、３１・・第１スライダー、３２・・第２スライダー、３５・・第１実吐出量設定部、３６・・第２実吐出量設定部、Ｂｋ・・ブラックインク、Ｃ・・シアンインク、Ｍ・・マゼンダインク、Ｙ・・イエローインク
【図１】
2014177059.tif 000003
【図２】
2014177059.tif 000004
【図３】
2014177059.tif 000005
【図４】
2014177059.tif 000006